【手続補正書】
【提出日】令和2年8月5日(2020.8.5)
【手続補正１】
【補正対象書類名】明細書
【補正対象項目名】０００５
【補正方法】変更
【補正の内容】
【０００５】
ＲＲＣ＿ＩＤＬＥ状態において、事前設定上りリンクリソース（ＰＵＲ）を使用した送信を首尾よく実行するために、ＵＥ（ユーザ）機器が有効なタイミング調整（又はタイミング・アラインメント、ＴＡ）を維持するべきである。現在、ＴＡタイマの最大長（無限最大値を除いて）は１０．２４秒である。多くの、又はほとんどの場合、ＴＡタイマは、次のＰＵＲオケージョンが発生する前に終了し、ＵＥは、ＰＵＲを使用した送信を実行することができない。そのような問題を解決するため、ＵＥは、ＲＲＣ＿ＩＤＬＥ状態において、ＴＡタイマに異なる長さを適用することができる。方法および装置がユーザ機器（ＵＥ）の観点から開示される。一実施形態では、その方法は、ＵＥがRRCConnectionReleaseメッセージにおいて第１の長さを示す第１のタイマの設定を受信することを含み、第１のタイマはＲＲＣ＿ＩＤＬＥ状態における事前設定上りリンクリソース（ＰＵＲ）を使用した送信のための第１のタイミング調整（ＴＡ）の有効性を制御するために使用される。その方法はまた、ＵＥがＲＲＣ＿ＩＤＬＥ状態にいる間にランダムアクセス（ＲＡ）手順を開始することに応答して、ＵＥが第１のＴＡを無効とみなすことを含む。
【手続補正２】
【補正対象書類名】特許請求の範囲
【補正対象項目名】全文
【補正方法】変更
【補正の内容】
【特許請求の範囲】
【請求項１】
ＵＥ（ユーザ機器）のための方法であって、
RRCConnectionReleaseメッセージにおいて、物理上りリンク共有チャネル（ＰＵＳＣＨ）またはナローバンド物理上りリンク共有チャネル（ＮＰＵＳＣＨ）での事前設定上りリンクリソース（ＰＵＲ）および第１の長さの第１のタイマを示す第１の設定を受信することであって、該第１のタイマはＲＲＣ＿ＩＤＬＥ状態における前記ＰＵＲを使用した送信のための第１のタイミング調整（ＴＡ）の有効性を制御するために使用される、受信することと、
前記第１のＴＡが有効である場合に、前記ＲＲＣ＿ＩＤＬＥ状態において前記ＰＵＲを使用した前記送信を実行することと、
ＵＥが前記ＲＲＣ＿ＩＤＬＥ状態にいる間にランダムアクセス（ＲＡ）手順を開始することに応答して前記第１のＴＡを無効とみなすことと、を含む方法。
【請求項２】
前記ＵＥは、前記第１のタイマを停止すること、または前記第１のタイマを満了とみなすことによって、前記第１のＴＡを無効とみなす、請求項１に記載の方法。
【請求項３】
ＲＲＣ＿ＣＯＮＮＥＣＴＥＤ状態から前記ＲＲＣ＿ＩＤＬＥ状態への状態遷移中に前記第１の長さを適用することによって、前記第１のタイマを始動又は再始動することをさらに含む、請求項１に記載の方法。
【請求項４】
前記ＵＥは、前記第１のタイマが動作しているかどうかに基づいて、前記第１のＴＡが有効であるかどうかを決定する、請求項１に記載の方法。
【請求項５】
前記ＵＥは、前記RRCConnectionReleaseメッセージの受信に応答してＭＡＣ（媒体アクセス制御）リセットを実行し、ＲＲＣ＿ＣＯＮＮＥＣＴＥＤ状態から前記ＲＲＣ＿ＩＤＬＥ状態への状態遷移中に、前記ＵＥは、前記ＭＡＣリセットの後に前記第１のタイマを始動する、請求項１に記載の方法。
【請求項６】
前記ＲＲＣ＿ＣＯＮＮＥＣＴＥＤ状態から前記ＲＲＣ＿ＩＤＬＥ状態への状態遷移中に、前記ＵＥは、前記ＲＲＣ＿ＩＤＬＥ状態の移行時に前記第１のタイマを始動する、請求項３に記載の方法。
【請求項７】
前記ＵＥは、前記RRCConnectionReleaseメッセージの受信に応答してＭＡＣ（媒体アクセス制御）リセットを実行し、前記ＵＥは、前記ＭＡＣリセットを実行するときに前記第１のタイマを停止しない、請求項１に記載の方法。
【請求項８】
第２の長さの第２のタイマを示す第２の設定を受信することであって、該第２のタイマは、前記ＲＲＣ＿ＣＯＮＮＥＣＴＥＤ状態における送信のための第２のＴＡの有効性を制御するために使用される、受信することをさらに含む、請求項１に記載の方法。
【請求項９】
前記ＲＲＣ＿ＩＤＬＥ状態において、ＲＡ手順が進行中の間に前記第２の長さを適用することによって、前記第２のタイマを始動することをさらに含む、請求項８に記載の方法。
【請求項１０】
ＵＥ（ユーザ機器）のための方法であって、
RRCConnectionReleaseメッセージにおいて、物理上りリンク共有チャネル（ＰＵＳＣＨ）またはナローバンド物理上りリンク共有チャネル（ＮＰＵＳＣＨ）での事前設定上りリンクリソース（ＰＵＲ）および第１の長さの第１のタイマを示す第１の設定を受信することであって、該第１のタイマはＲＲＣ＿ＩＤＬＥ状態における前記ＰＵＲを使用した送信のための第１のタイミング調整（ＴＡ）の有効性を制御するために使用される、受信することと、
ＲＲＣ＿ＣＯＮＮＥＣＴＥＤ状態から前記ＲＲＣ＿ＩＤＬＥ状態への状態遷移中に前記第１の長さを適用することによって、前記第１のタイマを始動又は再始動することと、
前記第１のＴＡが有効である場合に、前記ＲＲＣ＿ＩＤＬＥ状態において前記ＰＵＲを使用して前記送信を実行することと、を含む方法。
【請求項１１】
前記ＵＥは、前記第１のタイマが動作しているかどうかに基づいて、前記第１のＴＡが有効であるかどうかを決定する、請求項１０に記載の方法。
【請求項１２】
前記RRCConnectionReleaseメッセージの受信に応答してＭＡＣ（媒体アクセス制御）リセットを実行し、前記ＲＲＣ＿ＣＯＮＮＥＣＴＥＤ状態から前記ＲＲＣ＿ＩＤＬＥ状態への状態遷移中に、前記ＵＥは、前記ＭＡＣリセットの後に前記第１のタイマを始動する、請求項１０に記載の方法。
【請求項１３】
前記ＲＲＣ＿ＣＯＮＮＥＣＴＥＤ状態から前記ＲＲＣ＿ＩＤＬＥ状態への状態遷移中に、前記ＵＥは、前記ＲＲＣ＿ＩＤＬＥ状態の移行時に前記第１のタイマを始動する、請求項１０に記載の方法。
【請求項１４】
前記RRCConnectionReleaseメッセージの受信に応答してＭＡＣ（媒体アクセス制御）リセットを実行し、前記ＵＥは、前記ＭＡＣリセットを実行するときに前記第１のタイマを停止しない、請求項１０に記載の方法。
【請求項１５】
前記ＵＥがＲＲＣ＿ＩＤＬＥ状態にいる間にランダムアクセス（ＲＡ）手順を開始することに応答して前記第１のＴＡを無効とみなすことをさらに含む、請求項１０に記載の方法。
【請求項１６】
前記ＵＥは、前記第１のタイマを停止すること、または前記第１のタイマを満了とみなすことによって、前記第１のＴＡを無効とみなす、請求項１５に記載の方法。
【請求項１７】
第２の長さの第２のタイマを示す第２の設定を受信することであって、該第２のタイマは、前記ＲＲＣ＿ＣＯＮＮＥＣＴＥＤ状態における送信のための第２のＴＡの有効性を制御するために使用される、受信することをさらに含む、請求項１０に記載の方法。
【請求項１８】
前記ＲＲＣ＿ＩＤＬＥ状態において、ＲＡ手順が進行中の間に前記第２の長さを適用することによって、前記第２のタイマを始動することをさらに含む、請求項１７に記載の方法。
【請求項１９】
ユーザ機器（ＵＥ）であって、
制御回路と、
前記制御回路に設けられたプロセッサと、
前記制御回路に設けられ、前記プロセッサに結合されたメモリと、
前記プロセッサは、前記メモリに記憶されたプログラムコードを実行して、
RRCConnectionReleaseメッセージにおいて、物理上りリンク共有チャネル（ＰＵＳＣＨ）またはナローバンド物理上りリンク共有チャネル（ＮＰＵＳＣＨ）での事前設定上りリンクリソース（ＰＵＲ）および第１の長さの第１のタイマを示す第１の設定を受信することであって、該第１のタイマはＲＲＣ＿ＩＤＬＥ状態における前記ＰＵＲを使用した送信のための第１のタイミング調整（ＴＡ）の有効性を制御するために使用される、受信することと、
前記第１のＴＡが有効である場合に、前記ＲＲＣ＿ＩＤＬＥ状態において前記ＰＵＲを使用した前記送信を実行することと、
前記ＵＥが前記ＲＲＣ＿ＩＤＬＥ状態にいる間にランダムアクセス（ＲＡ）手順を開始することに応答して前記第１のＴＡを無効とみなすことと、
をするように構成されている、ＵＥ。
【請求項２０】
前記プロセッサは、前記メモリに記憶されたプログラムコードを実行して、
ＲＲＣ＿ＣＯＮＮＥＣＴＥＤ状態から前記ＲＲＣ＿ＩＤＬＥ状態への状態遷移中に前記第１の長さを適用することによって、前記第１のタイマを始動又は再始動すること、
をするようにさらに構成されている、請求項１９に記載のＵＥ。
【請求項２１】
ユーザ機器（ＵＥ）であって、
制御回路と、
前記制御回路に設けられたプロセッサと、
前記制御回路に設けられ、前記プロセッサに結合されたメモリと、
前記プロセッサは、前記メモリに記憶されたプログラムコードを実行して、
RRCConnectionReleaseメッセージにおいて、物理上りリンク共有チャネル（ＰＵＳＣＨ）またはナローバンド物理上りリンク共有チャネル（ＮＰＵＳＣＨ）での事前設定上りリンクリソース（ＰＵＲ）および第１の長さの第１のタイマを示す第１の設定を受信することであって、該第１のタイマはＲＲＣ＿ＩＤＬＥ状態における前記ＰＵＲを使用した送信のための第１のタイミング調整（ＴＡ）の有効性を制御するために使用される、受信することと、
ＲＲＣ＿ＣＯＮＮＥＣＴＥＤ状態から前記ＲＲＣ＿ＩＤＬＥ状態への状態遷移中に前記第１の長さを適用することによって、前記第１のタイマを始動又は再始動することと、
前記第１のＴＡが有効である場合に、前記ＲＲＣ＿ＩＤＬＥ状態において前記ＰＵＲを使用して前記送信を実行することと、
をするように構成されている、ＵＥ。